(57)【要約】  【課題】  ブラケットを介して窓枠等の取付面に取り付けられるブラインド用支持部材において、ブラインド用支持部材の寸法にかかわらず、小さな取付面にも取り付けることができるようにする。  【解決手段】  ブラインド用支持部材であるヘッドボックス１２の上部には、３つのフック受部１７、１８、１９がそれぞれ前後方向に離間して、前後方向に異なる位置に形成されている。この３つのフック受部１７、１８、１９のうちの任意の２つのフック受部を選択して、そのフック受部を、ブラケット２０のフック２０ａ、２０ｂに係止することで、小さな取付面に対応した小さなブラケット２０を介して、大きな寸法のヘッドボックスを該取付面に取り付けることができる。【選択図】  図４
2005232932.tif 000002
【特許請求の範囲】
【請求項１】
遮蔽材を支持すると共に、窓枠等の取付面に固定されるブラケットに前後に離間して設けられた少なくとも２つのフックに係止可能なフック受部を有し、該ブラケットを介して窓枠等の取付面に取付可能となった、ブラインド用支持部材において、
前記フック受部は、支持部材の上部の前後方向に異なる位置に少なくとも３つ形成されており、その３つのフック受部のうちの任意の２つのフック受部が選択的にブラケットの前記フックに係止可能であることを特徴とするブラインド用支持部材。
【請求項２】
前記少なくとも３つ形成されたフック受部の少なくとも１つは、前側と後側のいずれの側においてもフックに係止可能であることを特徴とする請求項１記載のブラインド用支持部材。
【請求項３】
前記少なくとも３つ形成されたフック受部のうちの隣接するフック受部の間の空間は、ブラインド駆動用の配線ケーブルを収納可能であることを特徴とする請求項１または２記載のブラインド用支持部材。
【請求項４】
請求項１ないし３のいずれか１項に記載のブラインド用支持部材を有するブラインド。
【発明の詳細な説明】
【技術分野】
【０００１】
本発明は、ブラインドの遮蔽材を支持するブラインド用支持部材及びそのブラインド用支持部材を有するブラインドに関する。
【背景技術】
【０００２】
従来、ブラインド用支持部材は、上部にフック受部が形成され、該フック受部を、窓枠等の取付面に固定されたブラケットに前後に離間して設けられた少なくとも２つのフックに係止させることにより、ブラケットに固定され、これによって、ブラケットを介して窓枠等に取り付け可能となっている。
【０００３】
ところで、ブラインド用支持部材の寸法は千差万別であり、特に、電動ブラインドでは、モータや配線ケーブルが内蔵されるために、その寸法が大きくなる傾向がある。例えば、実開平４−９５７８２号公報に記載されたブラインド用支持部材としての電動たくし上げカーテン用ヘッドレールでは、その上部の前後端部付近にそれぞれ上方に伸びて外向きに折り曲げられた鍔部が形成され、該鍔部によってフック受部が形成されており、該鍔部をブラケットの下面に設けた一対のフックに係止している。また、ヘッドレールの内側天井面に、取付用つめ部が設けられており、この取付用つめ部に配線カバーが取り付けられており、該配線カバーとヘッドレールの内側天井面との間にモータを駆動するための配線ケーブルを収納する空間が形成されている。
【０００４】
従来、このような寸法の大きなブラインド用支持部材の場合には、前記フック受部の前後方向の間隔も大きくなり、それに合わせてブラケットの２つのフックの前後方向の間隔も大きくなり、ブラケットの寸法も大きくしなければならない。そのために、窓枠等の取付面の前後幅が小さいような場所には、取付けられないという問題がある。また、ブラインド用支持部材の寸法の種類が多くなると、それに合わせてブラケットを用意しなければならず、ブラケットの種類も多くなり、製造コストや部品管理コストが高くなる、という問題もある。
【０００５】
【特許文献１】実開平４−９５７８２号公報
【発明の開示】
【発明が解決しようとする課題】
【０００６】
本発明はかかる課題に鑑みなされたもので、ブラインド用支持部材の寸法にかかわらず、小さな取付面にも取り付けることができ、または、ブラケットを共通化して使用することができるブラインド用支持部材及びそのブラインド用支持部材を有するブラインドを提供することをその目的とする。
【課題を解決するための手段】
【０００７】
前述した目的を達成するために、請求項１記載の発明は、遮蔽材を支持すると共に、窓枠等の取付面に固定されるブラケットに前後に離間して設けられた少なくとも２つのフックに係止可能なフック受部を有し、該ブラケットを介して窓枠等の取付面に取付可能となった、ブラインド用支持部材において、
前記フック受部は、支持部材の上部の前後方向に異なる位置に少なくとも３つ形成されており、その３つのフック受部のうちの任意の２つのフック受部が選択的にブラケットの前記フックに係止可能であることを特徴とする。
【０００８】
ブラインド用支持部材の寸法と取付面またはブラケットの寸法とが適合していない場合であっても、ブラインド用支持部材に形成された少なくとも３つのフック受部のうちの、ブラケットのフックに適合する任意の２つのフック受部を選択して使用することで、ブラケットを介してブラインド用支持部材を取付面に取り付けることができる。
【０００９】
また、請求項２記載の発明は、請求項１記載の前記少なくとも３つ形成されたフック受部の少なくとも１つが、前側と後側のいずれの側においてもフックに係止可能であることを特徴とする。これにより、ブラケットのフックの向きが前側または後側のいずれの方向を向いている場合であっても、フック受部の前側または後側をフックに係止させることができる。
【００１０】
また、請求項３記載の発明は、請求項１または２記載の前記少なくとも３つ形成されたフック受部のうちの隣接するフック受部の間の空間は、ブラインド駆動用の配線ケーブルを収納可能であることを特徴とする。これにより、ヘッドボックス内で配線ケーブルが占有する空間を小さくすることができるので、ヘッドボックス内の空間を有効に利用することができる。
【００１１】
また、請求項４記載の発明は、請求項１ないし３のいずれか１項に記載のブラインド用支持部材を有するブラインドであることを特徴とする。
【発明の効果】
【００１２】
本発明によれば、前後方向に異なる位置に形成された３つのフック受部のうちの任意のフック受部を選択してブラケットの２つのフックに係止させることにより、ブラインド用支持部材の寸法に拘わらず、前後幅の小さい取付面にも取り付けることができ、且つ、ブラケットを他のブラインドと共通に使用することもできる。
【発明を実施するための最良の形態】
【００１３】
以下、図面を用いて本発明の実施の形態を説明する。
【００１４】
図１は本発明の実施形態にかかるブラインド用支持部材の部分斜視図、図２は当該ブラインド用支持部材を有する本発明の実施形態にかかるブラインドの一部を表す側方から見た断面図である。
【００１５】
図において、ブラインド１０のブラインド用支持部材であるヘッドボックス１２は、窓枠等の取付面Ｓにブラケット２０を介して取り付けられるようになっている。
【００１６】
ヘッドボックス１２は、長手方向に長く、この例では、内部空間内に、ブラインドの遮蔽材１６の開閉を行うための電動開閉装置１４が収容されており、ヘッドボックス１２からは、直接または電動開閉装置１４を介して間接に、遮蔽材１６が開閉可能に吊下げられている。
【００１７】
ヘッドボックス１２の上部には、この例では、３つのフック受部１７、１８、１９がそれぞれ前後方向に離間して、前後方向に異なる位置に形成されている。詳細には、各フック受部１７、１８、１９は、ヘッドボックス１２の上部から上方に且つ長手方向に伸びる上方突出面１２ａと、上方突出面１２ａの上端から前後の両方の側にそれぞれ折曲した鍔部１２ｂ、１２ｃとから構成される。そして、それぞれのフック受部１７、１８、１９は、前側の鍔部１２ｂと上方突出面１２ａとで構成される前側フック受部１７ａ、１８ａ、１９ａと、後側の鍔部１２ｃと上方突出面１２ａとで構成される後側フック受部１７ｂ、１８ｂ、１９ｂとをそれぞれ有しており、これによって、それぞれのフック受部１７、１８、１９は、前側、後側のいずれの側においてもブラケットのフックを受けることが可能となっている。
【００１８】
ブラケット２０は、図３に示すように、前後に離間して２つの前側フック２０ａ、後側フック２０ｂを有しており、一般的に、この前側フック２０ａと後側フック２０ｂは、相対的に前後方向に所定の範囲で可動であり、バネ等の弾性部材によって互いに離反する方向か、または接近する方向かに常時、付勢されている。前側フック２０ａ及び後側フック２０ｂの向きには、互いに内側に向いている場合と、互いに外側を向いている場合と、互いに同じ向きを向いている場合との３つの態様があり、第１の態様では前側フック２０ａ及び後側フック２０ｂは接近する方向に付勢されており、第２及び第３の態様では前側フック２０ａ及び後側フック２０ｂは離反する方向に付勢されている。
【００１９】
以上のように構成される本発明によるヘッドボックス１２では、３つのフック受部１７、１８、１９を有しており、ブラケット２０に合わせて、または取付面Ｓに合わせて、そのうちの任意の２つのフック受部を選択して、ブラケット２０の前側フック２０ａ及び後側フック２０ｂに係止させることができるようになっている。
【００２０】
図３の例では、ブラケット２０の相対的な大きさが小さく、フック受部１７とフック受部１９の間隔よりも、ブラケット２０の前側フック２０ａと後側フック２０ｂとの間隔が小さいため、ブラケット２０のフック２０ａ、２０ｂに係止されるフック受部としては、フック受部１７とフック受部１８とが選択されている。そして、フック受部１７の前側フック受部１７ａを前側フック２０ａに、フック受部１８の後側フック受部１８ｂを後側フック２０ｂに係止する。この例では、前側にあるフック受部１７、１８をフック２０ａ、２０ｂに係止させるために、ヘッドボックス１２が、取付面Ｓを形成する窓枠Ｆの前面から後側に引っ込んだ状態で取り付けられ、ブラインド１０を窓枠Ｆ内に納めた状態での取付が可能になる。
【００２１】
また、図４の例では、取付面Ｓの大きさが小さく十分な奥行きがないために、ブラケット２０の２０ａ、２０ｂに係止されるフック受部としては、フック受部１８とフック受部１９とが選択されている。そして、フック受部１８の前側フック受部１８ａを前側フック２０ａに、フック受部１９の後側フック受部１９ｂを後側フック２０ｂに係止する。このように後側にあるフック受部１８、１９をフック２０ａ、２０ｂに係止させることで、取付面Ｓが狭い状態での取付が可能になる。
【００２２】
また、このような後側にあるフック受部１８、１９をフック２０ａ、２０ｂに係止するのは、取付面Ｓが小さい場合に限らず、取付面Ｓが形成される窓枠Ｆなどを遮蔽材１６で隠したい場合にも好適であり、図４の例のように、後方に位置するフック受部１８とフック受部１９をブラケット２０のフック２０ａ、２０ｂに係止されるフック受部として選択すると、図示のように、ヘッドボックス１２の一部を取付面Ｓよりも前に突出させることができ、遮蔽材１６を取付面Ｓよりも上方まで延ばして、遮蔽材１６によって窓枠Ｆを隠すことができる。取付面Ｓを覆う遮蔽材１６としては、開閉を行うものに限らず、ヘッドボックス１２に固定されるバランスとすることもできる。
【００２３】
また、図４の例においては、係止作業を行う際に、取付面Ｓが形成される窓枠Ｆよりも前方の空間において、ヘッドボックス１２をある程度自由に傾斜させることができるので、その作業を簡単に行うことができる。
【００２４】
図５の例は、ブラケット２０のフック２０ａ、２０ｂが外側に向いている場合である。この場合、フック受部１７の後側フック受部１７ｂを前側フック２０ａに、フック受部１８の前側フック受部１８ａを後側フック２０ｂに係止する。または、フック受部１８の後側フック受部１８ｂを前側フック２０ａに係止し、フック受部１９の前側フック受部１９ａを後側フック２０ｂに係止してもよい。
【００２５】
また、図６の例は、ブラケット２０のフック２０ａ、２０ｂが同じ前側方向を向いている場合の例である。このような場合、フック受部１８の後側フック受部１８ｂを前側フック２０ａに、フック受部１９の後側フック受部１９ｂを後側フック２０ｂに係止する。または、フック受部１７の後側フック受部１７ｂを前側フック２０ａに、フック受部１８の後側フック受部１８ｂを後側フック２０ｂに係止してもよい。
【００２６】
勿論、大きな寸法のブラケット２０が入手可能であれば、フック受部１７とフック受部１９を選択し、フック受部１７の前側フック受部１７ａ及び後側フック受部１７ｂのいずれか一方を前側フック２０ａに、フック受部１９の前側フック受部１９ａ及び後側フック受部１９ｂのいずれか一方を後側フック２０ｂに係止してもよい。
【００２７】
図３に示したように、電動開閉装置１４への電力及び信号を供給するための配線ケーブル１５を、ブラケット２０のフック２０ａ、２０ｂに係止するフック受部対ではないフック受部対の間に配設することも可能である。これにより、前記特許文献１のようにヘッドボックス内に配線カバーを設ける必要がないので、ヘッドボックス１２内の空間を有効に利用することができる。
【００２８】
共通または汎用のブラケット２０に合致するように、フック受部１７、１８、１９を設けることで、ヘッドボックス１２の寸法にかかわらず、ブラケット２０を他のブラインドと共通して使用することができるため、製造コスト及び部品管理コストを低減することができる。
【００２９】
尚、この実施形態では、各フック受部において、その前側と後側のそれぞれに前側フック受部と後側フック受部が形成されており、これにより、ブラケット２０のフック２０ａ、２０ｂの向きがどのような態様であっても使用可能であることを説明したが、この形態に限るものではなく、使用するブラケット２０のフック２０ａ、２０ｂの向きが決まっている場合には、前側フック受部と後側フック受部のいずれか一方を省略することも可能である。
【００３０】
また、この例では、３つのフック受部１７、１８、１９を設けていたが、これに限るものではなく、ヘッドボックス１２の寸法が大きくなれば、フック受部を４つ以上設けることも可能である。
【図面の簡単な説明】
【００３１】
【図１】本発明の実施形態にかかるブラインド用支持部材の部分斜視図である。
【図２】図１のブラインド用支持部材を有する本発明の実施形態にかかるブラインドの一部を表す側方から見た断面図である。
【図３】図１のブラインド用支持部材をブラケットを介して取付面に取り付けた取付例を表す側方から見た断面図である。
【図４】図１のブラインド用支持部材をブラケットを介して取付面に取り付けた取付例を表す側方から見た断面図である。
【図５】図１のブラインド用支持部材をブラケットを介して取付面に取り付けた取付例を表す側方から見た断面図である。
【図６】図１のブラインド用支持部材をブラケットを介して取付面に取り付けた取付例を表す側方から見た断面図である。
【符号の説明】
【００３２】
１０  ブラインド
１５  配線ケーブル
１６  遮蔽材
１７、１８、１９  フック受部
１７ａ、１８ａ、１９ａ  前側フック受部
１７ｂ、１８ｂ、１９ｂ  後側フック受部
２０  ブラケット
２０ａ  前側フック
２０ｂ  後側フック
【図１】
2005232932.tif 000003
【図２】
2005232932.tif 000004
【図３】
2005232932.tif 000005
【図４】
2005232932.tif 000006
【図５】
2005232932.tif 000007
【図６】
2005232932.tif 000008